(57)【要約】【課題】設置物固定具を固定した後に、第１固定具本体の内側を容易に点検できるようにする。【解決手段】第１固定具本体１２の下端部に取付下地２への第１固定部９を設け、第１固定具本体１２を縦筒形状に形成すると共に、第１固定具本体１２の上部に天蓋部１５を設け、第１固定具本体１２から天蓋部１５よりも上方に突出する突出部３３を、周方向に複数設けて、それらの突出部３３に、設置物を固定する設置物固定部を形成してある設置物固定具であって、第１固定具本体１２の内側で天蓋部１５の下方を観察可能な点検孔を、天蓋部１５に設け、点検孔を閉塞可能なキャップ４１を、天蓋部１５に着脱自在に取り付けてある。【選択図】図２
2017095935.tif 000002
【特許請求の範囲】
【請求項１】
第１固定具本体の下端部に取付下地への第１固定部を設け、前記第１固定具本体を縦筒形状に形成すると共に、
前記第１固定具本体の上部に天蓋部を設け、
前記第１固定具本体から前記天蓋部よりも上方に突出する突出部を、周方向に複数設けて、それらの前記突出部に、設置物を固定する設置物固定部を形成してある設置物固定具であって、
前記第１固定具本体の内側で前記天蓋部の下方を観察可能な点検孔を、前記天蓋部に設け、
前記点検孔を閉塞可能なキャップを、前記天蓋部に着脱自在に取り付けてある設置物固定具。
【請求項２】
前記点検孔の縁には、前記天蓋部から上方に突設するスリーブを設け、
前記スリーブの上端部に前記キャップを着脱自在に設けてある請求項１に記載の設置物固定具。
【請求項３】
第１固定具本体の下端部に取付下地への第１固定部を設け、
前記第１固定具本体を縦筒形状に形成すると共に、前記第１固定具本体の上部に天蓋部を設け、
前記第１固定具本体から前記天蓋部よりも上方に突出する突出部を、周方向に複数設けて、それらの前記突出部に、設置物を固定する設置物固定部を形成してある設置物固定具であって、
前記第１固定具本体の内側で前記天蓋部の下方を観察可能な点検孔を、前記天蓋部に設け、
前記点検孔を水密状態に閉塞する閉塞部材を、透明な部材で形成してある設置物固定具。
【請求項４】
請求項１〜３のいずれか１項に記載の前記設置物は、上端部に固定対象の他物を固定する第２固定部を備えた第２固定具本体から成り、
前記第２固定具本体の下部に前記設置物固定部に対する連結部を設けてある設置物固定構造。
【請求項５】
請求項１〜３のいずれか１項に記載の前記設置物は、下部に支柱部を備えたもので、
前記設置物固定部に対する被固定部を、前記支柱部に設け、
前記設置物固定部と前記被固定部の互いの当て付け面を、上下方向に沿った面で形成すると共に、それらの当て付け面どうしを当て付けた状態で連結自在に構成してある設置物固定構造。
【発明の詳細な説明】
【技術分野】
【０００１】
本発明は、第１固定具本体の下端部に取付下地への第１固定部を設け、前記第１固定具本体を縦筒形状に形成すると共に、前記第１固定具本体の上部に天蓋部を設け、前記第１固定具本体から前記天蓋部よりも上方に突出する突出部を、周方向に複数設けて、それらの前記突出部に、設置物を固定する設置物固定部を形成してある設置物固定具及び設置物固定具に設置物を取り付けた設置物固定構造に関する。
【背景技術】
【０００２】
従来、設置物固定具は、図８に示すように、天蓋部１５’は、全て金属板で形成され、第１固定具本体１２’の内部に雨水などの侵入を防止するために上方から完全に覆うもので、例えば、第１固定部を第１固定具本体の筒内の底板部に形成してある場合には、第１固定部９’を取付下地２’に固定するために、第１固定具本体１２’の側壁に、固定操作用の第１開口部１６’を設けてはいるものの、設置物固定具の固定後には、取付下地２’を覆う防水シートを、取付下地２’から第１固定具本体１２’の側壁にかけて接着剤により貼り付け、第１開口部１６’は防水シートで覆われてしまう（例えば、特許文献１参照）。
【先行技術文献】
【特許文献】
【０００３】
【特許文献１】特開２０１２−７３３９号公報
【発明の概要】
【発明が解決しようとする課題】
【０００４】
そこで、上述した従来の設置物固定具では、例えば、第１固定部９’が第１固定具本体１２’の内側にある場合には、第１固定具本体１２’自身の強度や、第１固定具本体１２’の固定強度に影響する第１固定具本体１２’の内側の第１固定部９’の腐食の有無や、腐食の程度を経時的に観察したり、あるいは、第１固定部９’が第１固定具本体１２’の外側にある場合には、第１固定具本体の強度に影響する第１固定具本体１２’の内側の板金溶接部（例えば、第１固定具本体１２’における筒状縦壁部と天蓋部１５’との溶接部や、筒状縦壁部と底板部１４’との溶接部等）の腐食の状態を観察しなければならない場合がある。
しかしながら、設置物固定具を取付下地２’に設置後には、防水シートを取り除かずに第１固定部９’の状態を点検することはできなかった。
【０００５】
従って、本発明の目的は、上記問題点を解消し、設置物固定具を取付下地に固定した後に、第１固定具本体の内側を容易に点検できるようにすることにある。
【課題を解決するための手段】
【０００６】
本発明の第１の設置物固定具の特徴構成は、第１固定具本体の下端部に取付下地への第１固定部を設け、前記第１固定具本体を縦筒形状に形成すると共に、前記第１固定具本体の上部に天蓋部を設け、前記第１固定具本体から前記天蓋部よりも上方に突出する突出部を、周方向に複数設けて、それらの前記突出部に、設置物を固定する設置物固定部を形成してある設置物固定具であって、前記第１固定具本体の内側で前記天蓋部の下方を観察可能な点検孔を、前記天蓋部に設け、前記点検孔を閉塞可能なキャップを、前記天蓋部に着脱自在に取り付けたところにある。
【０００７】
本発明の第１の特徴構成によれば、周方向に隣接する複数の前記突出部間を通して前記第１固定具本体の内側で前記天蓋部の下方を観察可能な点検孔を、前記天蓋部に設け、前記点検孔を閉塞可能なキャップを、前記天蓋部に着脱自在に取り付けてあるために、取付下地から第１固定具本体の側壁部にかけて覆う防水シートを取り外さなくても、天蓋部に取り付けてあるキャップを取り外せば、点検孔から第１固定具本体の内部を見て点検することが容易にでき、しかも、キャップを天蓋部に取り付けて点検孔を閉塞すれば、天蓋部の防水性は損なわれず、第１固定部を雨水などから濡れずに保護できる。
【０００８】
本発明の第２の設置物固定具の特徴構成は、前記点検孔の縁には、前記天蓋部から上方に突設するスリーブを設け、前記スリーブの上端部に前記キャップを着脱自在に設けたところにある。
【０００９】
本発明の第２の特徴構成によると、点検孔の縁には、前記天蓋部から上方に突設するスリーブを設けてあることにより、天蓋部に掛かる雨水が点検孔内により侵入しにくくなる。
その上、そのスリーブの上端部にキャップを取り付けることにより、天蓋部の防水性は、高く維持できる。
【００１０】
本発明の第３の設置物固定具の特徴構成は、第１固定具本体の下端部に取付下地への第１固定部を設け、前記第１固定具本体を縦筒形状に形成すると共に、前記第１固定具本体の上部に天蓋部を設け、前記第１固定具本体から前記天蓋部よりも上方に突出する突出部を、周方向に複数設けて、それらの前記突出部に、設置物を固定する設置物固定部を形成してある設置物固定具であって、前記第１固定具本体の内側で前記天蓋部の下方を観察可能な点検孔を、前記天蓋部に設け、前記点検孔を水密状態に閉塞する閉塞部材を、透明な部材で形成したところにある。
【００１１】
本発明の第３の特徴構成によれば、周方向に隣接する複数の前記突出部間を通して前記第１固定具本体の内側で前記天蓋部の下方を観察可能な点検孔を、前記天蓋部に設け、前記点検孔を水密状態に閉塞する閉塞部材を、透明な部材で形成することにより、天蓋部に設けた点検孔は、閉塞部材で水密状態に閉塞されることで、天蓋部の防水性は維持でき、しかも、閉塞部材を、透明な部材を通して、第１固定具本体内を外部から観察して第１固定部の状態を容易に点検できる。
【００１２】
本発明の第４の設置物固定構造の特徴構成は、前記設置物は、上端部に固定対象の他物を固定する第２固定部を備えた第２固定具本体から成り、前記第２固定具本体の下部に前記設置物固定部に対する連結部を設けたところにある。
【００１３】
本発明の第４の特徴構成によれば、設置物固定部には、第２固定具本体を取り付け、その第２固定具本体の第２固定部に他物を固定することにより、他物の固定姿勢や相対的な固定位置の調整を自在にしやすくできる。
【００１４】
本発明の第５の設置物固定構造の特徴構成は、前記設置物は、下部に支柱部を備えたもので、前記設置物固定部に対する被固定部を、前記支柱部に設け、前記設置物固定部と前記被固定部の互いの当て付け面を、上下方向に沿った面で形成すると共に、それらの当て付け面どうしを当て付けた状態で連結自在に構成したところにある。
【００１５】
本発明の第５の特徴構成によれば、支柱部を備えた設置物は、その支柱部に形成した被固定部を設置物固定部に取り付けると、前記設置物固定部と前記被固定部の互いの当て付け面を、上下方向に沿った面で形成すると共に、それらの当て付け面どうしを当て付けた状態で連結自在に構成してあるために、設置物の荷重が上下に軸力伝達されて設置物固定具に支持され、過剰な補強構造になるのを抑制して設置物を下地に安定して設置できる。
【図面の簡単な説明】
【００１６】
【図１】固定状態を示す全体斜視図である。
【図２】全体斜視図である。
【図３】分解斜視図である。
【図４】組付け状態の縦断面図である。
【図５】組付け状態の縦断面図である。
【図６】別実施形態の縦断面図である。
【図７】別実施形態の斜視図である。
【図８】従来例の斜視図である。
【図９】（ａ）、（ｂ）は、別実施形態の要部縦断面図である。
【図１０】別実施形態の要部縦断面図である。
【図１１】別実施形態の要部縦断面図である。
【図１２】別実施形態の要部縦断面図である。
【図１３】別実施形態の要部縦断面図である。
【図１４】別実施形態の要部縦断面図である。
【図１５】別実施形態の要部分解斜視図である。
【図１６】図１５における要部拡大縦断面図である。
【図１７】別実施形態の設置物固定構造の分解斜視図である。
【図１８】別実施形態の要部縦断面図である。
【図１９】別実施形の一部分解斜視図である。
【発明を実施するための形態】
【００１７】
〔第１実施形態〕
以下に本発明の実施の形態を図面に基づいて説明する。
図１〜図４に示すように、本発明の設置物固定具の一実施形態品（以後、単に固定台１という）を使用して、屋上のコンクリート床やベランダ等の建築物（取付下地２の一例）の上に、ソーラーパネル４やその固定枠５等の固定対象部材（他物の一例）３を固定してある状況を示している。
【００１８】
前記コンクリート床２の上には、防水シート６が敷設してある。
当該実施形態においては、固定対象部材３を固定台１に固定してある例を示している。従って、固定台１を設置した後、その周囲に、防水シート６と固定台１の外周部にわたる状態に立上り防水層７を設置し、その上端部をバンド２９で縛ると共に、シール材３０を塗布して雨水の浸入を防止して、固定台設置部分から下方への漏水防止を図っている（図４、図５）。
尚、固定台１は、コンクリート床２に直接固定して、その上から立上り防水層７をコンクリート床２から固定台１にわたって敷設してある場合もある。
コンクリート床２における固定台設置箇所には、予め、アンカーボルト８が設置してあり、このアンカーボルト８に固定台１が固定されている。
【００１９】
前記固定対象部材３は、形鋼をトラス構造に組みあげた固定枠５と、固定枠５の上面に沿って取り付けられたソーラーパネル４とを備えて構成してあり、前記固定枠５が、前記固定台１にボルト１９とナットＮとで固定されている。
前記固定枠５は、ソーラーパネル４を傾斜姿勢に支持する構造に形成してあり、ソーラーパネル４が効率よく太陽光を受光できるように構成してある。
【００２０】
前記固定台１は、図２〜図４に示すように構成してある。
つまり、下端部にコンクリート床２への第１固定部９を設け、上端部に固定対象部材３の固定枠５を固定する第２固定部１０を設け、固定具本体１１を鉄系材等の金属製で形成して、第１固定部９を備えた第１固定具本体１２と、第２固定部１０を備えた第２固定具本体１３とに上下に分割構成し、第１固定具本体１２を横断面略四角形の縦筒形状に形成すると共に、その第１固定具本体１２の筒内の底板部１４に第１固定部９を形成し、第１固定具本体１２の筒内の上部に第１固定部９を覆う天蓋部１５を設け、第１固定具本体１２の４つの筒周面部に第１固定部９に対する固定操作用の第１開口部１６を形成してある。
【００２１】
前記第１固定部９には、複数の第１ボルト挿通孔１７を設けてあり、前記第２固定部１０には、長孔状の３本の第２ボルト挿通孔１８を設けてある（図２参照）。
前記第１ボルト挿通孔１７には、コンクリート床２に埋設されたアンカーボルト８が下方から挿通され、そのボルト上端部にナットＮを螺合して締め付けることで固定具本体１１がコンクリート床２に固定される。
前記第２ボルト挿通孔１８には、前記固定枠５を固定するためのボルト１９が下方から挿通され、そのボルト上端部にナットＮを螺合して締め付けることで固定枠５が固定台１に固定される。
【００２２】
第１固定具本体１２の上端部と、第２固定具本体１３の下端部とには、相互にボルト２０を介して連結自在な連結部２１を設け、第１固定具本体１２の連結部２１と第２固定具本体１３の連結部２１の少なくともいずれか一方に、上下に沿ったボルト挿通用長孔２２を形成してある。
【００２３】
前記第１固定具本体１２の筒周部で第１開口部１６よりも上方に、水切り庇部２３を設けてあり、立上り防水層７及び第１開口部１６への雨水の浸入を防止してある。その水切り庇部２３は、前記天蓋部１５と一連の金属板から形成して周縁部を下方に折り曲げてあり、第１固定具本体１２の上部には、一体に上方に突出する突出部３３を周方向に複数設けると共に、前記金属板の突出部挿通孔２４に突出部３３夫々を、天蓋部１５よりも上方に突出するように挿通させて組付け、溶接により一体にすると共に、雨水が第１固定具本体１２の内側に侵入するのを防止してあり、それらの突出部３３に、第２固定具本体１３に対する連結部２１を形成してある（図３）。
【００２４】
前記第１固定具本体１２の連結部２１は、四角筒の４隅部に位置し、夫々平面視で直交する連結用面部２１Ａを有して各連結用面部２１Ａに上下に長いボルト挿通用長孔２２を形成してある（図３）。
前記直交する連結用面部２１Ａ間に縦長のスリット２５を形成して、そのスリット２５により、天蓋部１５の上の隅部に溜まる雨水を、外部に排水し易くなるように形成してある（図２矢印）。
【００２５】
前記第２固定具本体１３は、略四角筒形状の４つの周側部夫々に切欠き部を形成して、第２固定部１０に対する固定操作用の第２開口部２６を形成してある。
尚、第２開口部２６は、第２固定具本体１３の周側部に１箇所以上あれば良い。
前記第２固定具本体１３の連結部２１は、四角筒の４隅部に位置し、夫々平面視で直交する連結用面部２１Ａを有して各連結用面部２１Ａにボルト挿通用丸孔２７を形成してある。前記直交する連結用面部２１Ａ間に縦長のスリット２５を形成して、そのスリット２５により、第１固定具本体１２に対して第２固定具本体１３を傾斜状態で連結する場合に、鉄系材の良好な靭性を利用して、第２固定部本体１３の連結用面部２１Ａが相手の突出部３３に形成した連結用面部２１Ａになじむように変形を許容できるようにしてある（図５）。
尚、突出部３３の連結用面部２１Ａだけが、変形を許容できるようにしてあっても良く、また、第２固定具本体１３の連結用面部２１Ａと突出部３３に形成した連結用面部２１Ａの両方が、靱性を利用した変形を許容できるようにしてあっても良い。
【００２６】
図２、図３に示すように、周方向に隣接する複数の前記突出部３３間を通して第１固定具本体１２の内側で天蓋部１５の下方を観察可能な点検孔４０を、天蓋部１５に設け、点検孔４０を閉塞可能なキャップ４１を、天蓋部１５に着脱自在に取り付けてある。
第１固定具本体１２の内側で、第１固定部９の腐食状態などを点検するに当たっては、キャップ４１を点検孔４０から外して、光ファイバースコープや筒状拡大鏡等の内視鏡を点検孔４０内に挿入して観察できるようにしてある。
【００２７】
〔第２実施形態〕
前記突出部３３は、第２固定具本体１３、及び、その第２固定具本体１３を介して他物３を固定する設置物固定部であり、第２固定具本体１３の連結部２１が設置物固定部に対する被固定部であるが、図１７に示すように、第２固定具本体を設けずに、下部に支柱部３Ａを備えたアンテナ等の設置物に、前記突出部３３の設置物固定部に対する被固定部を、支柱部３Ａに設けてあるものでもよい。
【００２８】
図１７に示す設置物固定構造を説明すると、前記固定台１は、板金で構成してある。
上下方向に沿った四角筒形状の縦筒状の第１固定具本体１２の下部にフランジ状に形成した接地部４４に、取付下地２に対するアンカーボルト４５の挿通孔４６を設けて第１固定部９を形成すると共に、縦筒状の第１固定具本体１２の上部に、上側の固定対象物である設置物３に対する設置物固定部を設けて設置物固定具を構成してある。
【００２９】
前記縦筒状の第１固定具本体１２の上部全体を覆う天蓋部１５を、縦筒状の第１固定具本体１２の上部に溶接により一体に設け、縦筒状の第１固定具本体１２の縦壁部に沿って天蓋部１５よりも上方に延設する突出部３３に、ボルト挿通用長孔２２を設けて、前記設置物固定部に構成してある。
設置物３には、突出部３３に沿った当て付け面を有する被固定部４７を設け、その被固定部４７にボルト挿通孔４８を設けて、ボルト挿通用長孔２２とボルト挿通孔４８に挿通させるボルト２０により、突出部３３に設置物３を連結することにより、設置物３の荷重を突出部３３を介して縦筒状の第１固定具本体１２に軸力伝達可能に構成してある。
尚、前記被固定部４７は、断面四角形の固定用縦筒部の側面に形成してある。
【００３０】
前記ボルト挿通用長孔２２と前記ボルト挿通孔４８のいずれか一方を上下方向に沿った縦長孔に形成してあるが、他方は、横方向に沿った横長孔に形成しても良く、このように形成することで、設置物固定具に対する設置物３の固定姿勢や上下左右位置を微調整可能に構成してもよい。
前記天蓋部１５には、横外方向に延設した水切り庇部２３を設けて、防水シート６の端部に雨水などが侵入するのを防止してある。
【００３１】
前記設置物３は、アンテナなどの支柱を示してあって、その支柱の下端部の周面部に周方向に一定間隔置きに複数の荷重伝達リブ５０を一体に取り付けてあり、各荷重伝達リブ５０の先端部と固定用縦筒状の被固定部４７の筒内面とを一体に溶接して一体連設し、被固定部４７にボルト挿通孔４８を設けてある。
従って、設置物３の荷重は、複数の荷重伝達リブ５０から固定用縦筒部を介して突出部３３に上下に軸力伝達され、設置物固定具で安定的に支持固定される。
【００３２】
前記接地部４４で第１固定具本体１２の筒状部よりも外側にアンカーボルト４５の挿通孔４６を設けて第１固定部９を構成する場合にも、第１固定具本体１２の強度に影響する第１固定具本体１２の内側の板金溶接部の腐食の状態を観察しなければならない場合がある。
そこで、前記第１固定具本体１２の内側で前記天蓋部１５の下方を観察可能な点検孔４０を、前記天蓋部１５に複数(図１７では４箇)突出する突出部３３間で、天蓋部１５の隅角部に設け、点検孔４０を閉塞可能なキャップ４１を、天蓋部１５に着脱自在に取り付けてある。この場合、点検孔４０の縁には、天蓋部１５から上方に突設するスリーブ４２を設け、スリーブ４２の上端部にキャップ４１を着脱自在に設けてある。
尚、図１７中の４２Ａは、スリーブ４２の上端部に設けた鍔部で、ビス４３でキャップ４１を鍔部４２Ａに固定可能にしてある。
【００３３】
〔第３実施形態〕
第１実施形態の第１固定部９は、第１固定具本体１２に一体に設けた底板部１４に形成してあるが、第３実施形態では、図１９に示すように、第１固定具本体１２を、上側部材１２Ａと取付下地２に固定する下側部材１２Ｂとに分割形成し、その下側部材１２Ｂに第１固定部９を形成してあっても良い。
そして、下側部材１２Ｂをアンカーボルト８とナットＮとで取付下地２に固定後に、下側部材１２Ｂに上側部材１２Ａを嵌合させて、夫々に設けたネジ穴５１にビス５２を螺合させることで下側部材１２Ｂと上側部材１２Ａとを連結可能に構成してある。
従って、第１固定部９を固定操作するのに、第１実施形態のように第１開口部１６は不要であるが、設置後の第１固定具本体１２の内側の点検のためには、点検孔４０及びキャップ４１を設けることで防水性を維持しながら設置物固定具の点検管理が容易にできるように構成してある。
尚、第２固定具本体１３は、突出部３３と連結する第２下側部材１３Ｂと、第２固定部１０を設けた第２上側部材１３Ａとに分割形成され、第２上側部材１３Ａに設けた横長孔３４を介して第２下側部材１３Ｂと、ボルト３５、ナットＮで連結自在にしてあって、横方向の相対位置調整自在に構成してある。
また、第２下側部材１３Ｂと突出部３３とは、突出部３３に設けた縦長孔状のボルト挿通用長孔２２とボルト挿通用丸孔２７との連結で、上下相対位置調整自在にしてある。
【００３４】
〔別実施形態〕
以下に他の実施の形態を説明する。
〈１〉  前記第１固定具本体１２には、図６に示すように、外嵌して上下にスライド自在なスライド筒部材２８を設け、第１固定部９によるコンクリート床２への固定操作後に、第１開口部１６を閉じて、立上り防水層７の立上部分を、このスライド筒部材２８の外周面に固定することで、固定台１周囲の防水を行えるようにしてあっても良い。
〈２〉  前記固定枠５を、Ｈ形鋼の例で示したが、断面コの字形の溝形鋼やチャンネル材であってもよく、図７に示すように、Ｈ形鋼どうし又は溝形鋼やチャンネル材どうしの連結部を鋼板からなる平板で連結して、第２固定部１０に固定する場合は、３本の第２ボルト挿通孔１８のうちの外側の２本のものに、夫々ボルト１９を挿通して固定する。
〈３〉  前記水切り庇部２３は、天蓋部１５とは別に形成して第１固定具本体１２の周側部に付設してあっても良い。
〈４〉  第１開口部１６は、図６に示すように、その下端部が、底板部１４に接する状態に配置してあってもよい。
〈５〉  固定対象部材である他物３は、ソーラーパネル４以外に、アンテナなどの支柱部であっても良い。
〈６〉  点検孔４０とその点検孔を閉塞するキャップ４１の具体構造は、図９〜図１４に示すように構成してあっても良い。
つまり、図９のキャップ４１は、合成樹脂やゴム製の点検孔４０に対して弾性的に嵌合（図９（ａ）→図９（ｂ））するもので構成してある。
図１０は、点検孔４０に対して透明樹脂板やガラス板などの透明な板材を嵌めて接着剤などにより一体に固定して、外部からその透明な板材を通して内部を観察できるようにしてある。
図１１は、点検孔４０の内面に雌ネジを形成すると共に、キャップ４１に雄ネジを形成して、互いに着脱自在にネジ嵌合させてある。
図１２は、点検孔４０の縁には、天蓋部１５から上方に突設するスリーブ４２を設け、そのスリーブ４２にネジ嵌合するキャップ４１を、着脱自在に取り付けてある。
図１３は、点検孔４０の縁には、天蓋部１５から上方に突設するスリーブ４２を斜めに傾斜した状態に設け、そのスリーブ４２にネジ嵌合するキャップ４１を、着脱自在に取り付けてある。従って、斜め上方から内部をより観察しやすくしてある。
図１４は、図１３で示すスリーブ４２の上端部だけを、鉛直方向に形成してある。
〈７〉  図１５〜図１６に示すように、点検孔４０に設けたスリーブ４２の上端部に鍔部４２Ａを設け、スリーブ４２の上端部を覆うキャップ４１を、着脱自在にビス４３で鍔部４２Ａに固定するように構成してある。
尚、点検孔４０は、図１５、図１７においては、２箇所に設けたが、１箇所でも良く、また、２箇所以上に設けてあっても良い。
また、図１６、図１７に示すキャップ４１に設けるビス４３の挿通孔は、丸孔以外に、縦長の長孔であっても良く、この場合、スリーブ４２や鍔部４２Ａに設けるビス４３螺合用孔との相対的高さの製作誤差を吸収できる。
〈８〉  図１８に示すように、スリーブ４２は、突出部３３を貫通した状態でその先端部を、第１固定具本体１２の外側に延設してあって、そこにキャップ４１を着脱自在に取り付けてあっても良い。
〈９〉  前記天蓋部１５には、傾斜を設けてあったり、中央部が盛り上がったムクリ部を形成して（図示せず）、排水性を向上させてあっても良い。
〈１０〉  前記点検孔４０の大きさは、不必要に大きくすることなく、少なくとも光ファイバーや筒状拡大鏡等の内視鏡を挿入できる最小限の大きさ、又は、内視鏡などの器具を用いないで点検孔４０を覗き込む目視検査ができる最小限の大きさであるほうが、天蓋部１５の強度を低下させずに良い。
また、スリーブ４２は、縦断面形状が上側ほど大口径となるラッパ状にしても良く、ライトで覗き込む点検孔、又は、他の点検孔４０内を照らしながら、点検孔４０の外側から手鏡などを使って設置物固定具の内部の目視観察できる範囲を広げられるようにしても良い。この場合、スリーブ４２をラッパ状に形成すると共に、スリーブ４２に外嵌するキャップ４１におけるスリーブ部は単なる均等径の筒状に形成して、スリーブ４２との間に隙間を形成するようにすれば、雨水などの毛細管現象によるスリーブ４２先端部への上昇を防止して、点検孔４０内への腐食の原因となる水の侵入を防止できる。
〈１１〉  前記点検孔４０と閉塞可能なキャップ４１との間には、Ｏリング等のシール材を取り付けて、閉塞後の水密性を高められるようにしてあるほうが、第１固定具本体１２の内側の腐食等の防止が図れる。
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００３５】
２      取付下地
３      他物
９      第１固定部
１０    第２固定部
１２    第１固定具本体
１３    第２固定具本体
１４    底板部
１５    天蓋部
２１    連結部
３３    突出部
４０    点検孔
４１    キャップ
【図１】
2017095935.tif 000003
【図２】
2017095935.tif 000004
【図３】
2017095935.tif 000005
【図４】
2017095935.tif 000006
【図５】
2017095935.tif 000007
【図６】
2017095935.tif 000008
【図７】
2017095935.tif 000009
【図８】
2017095935.tif 000010
【図９】
2017095935.tif 000011
【図１０】
2017095935.tif 000012
【図１１】
2017095935.tif 000013
【図１２】
2017095935.tif 000014
【図１３】
2017095935.tif 000015
【図１４】
2017095935.tif 000016
【図１５】
2017095935.tif 000017
【図１６】
2017095935.tif 000018
【図１７】
2017095935.tif 000019
【図１８】
2017095935.tif 000020
【図１９】
2017095935.tif 000021